(57)【要約】  部屋内における雑音消去のためのサウンドシステム及び方法が提供される。この方法は、第１のマイクロフォン入力信号を含む、１つ又は複数のマイクロフォン入力信号を提供するために、部屋の壁面の開口部から離れた位置に１組のマイクロフォンを配置することと、開口部の近傍に１組のスピーカーを配置することと、少なくとも第１のマイクロフォン入力信号に基づいて、開口部を通って部屋内に入る音を整合するために、１組のスピーカーに対して１つ又は複数の出力信号を決定することと、１つ又は複数の出力信号を生成することと、１組のスピーカーを用いて、１つ又は複数の出力信号に基づくサウンド信号を出力することと、を含む。
2022500692.tif 000002
【特許請求の範囲】
【請求項１】
部屋内における雑音消去のための方法であって、
第１のマイクロフォン入力信号を含む、１つ又は複数のマイクロフォン入力信号を提供するために、前記部屋の壁面の開口部から離れた位置に１組のマイクロフォンを配置することと、
前記開口部の近傍に１組のスピーカーを配置することと、
少なくとも前記第１のマイクロフォン入力信号に基づいて、前記開口部を通って前記部屋に入る音を整合するために、前記１組のスピーカーに対して１つ又は複数の出力信号を決定することと、
前記１組のスピーカーを用いて、前記１つ又は複数の出力信号に基づくサウンド信号を出力することと、
を含む方法。
【請求項２】
前記１組のスピーカーに対して１つ又は複数の駆動信号を生成することをさらに含み、
前記１つ又は複数の駆動信号は、前記１つ又は複数の出力信号であるか、あるいは前記１つ又は複数の出力信号に基づいている、
請求項１に記載の方法。
【請求項３】
前記駆動信号を増幅することをさらに含む、請求項２に記載の方法。
【請求項４】
前記１組のマイクロフォンは、少なくとも１０個のマイクロフォンを含む、請求項１から請求項３のいずれか一項に記載の方法。
【請求項５】
前記１組のスピーカーは、少なくとも１０個のスピーカーを含む、請求項１から請求項４のいずれか一項に記載の方法。
【請求項６】
前記１組のマイクロフォンは、前記開口部から０．５ｍよりも大きい距離に配置された第１の組のマイクロフォンを含む、請求項１から請求項５のいずれか一項に記載の方法。
【請求項７】
前記１組のマイクロフォンは、前記開口部の縁部に配置された第２の組のマイクロフォンを含む、請求項１から請求項６のいずれか一項に記載の方法。
【請求項８】
前記開口部の近傍に１組のスピーカーを前記配置することは、前記開口部を跨いで第１の複数のスピーカーを分配することを含む、請求項１から請求項７のいずれか一項に記載の方法。
【請求項９】
前記開口部の近傍に１組のスピーカーを前記配置することは、前記開口部の周囲に沿って第２の複数のスピーカーを配置することを含む、請求項１から請求項８のいずれか一項に記載の方法。
【請求項１０】
前記開口部の近傍に１組のスピーカーを前記配置することは、前記開口部を跨いで疎アレイで、前記スピーカーの少なくともいくつかを配置することを含む、請求項１から請求項９のいずれか一項に記載の方法。
【請求項１１】
第１の基準信号を提供するために、前記部屋内に第１の基準マイクロフォンを配置することをさらに含み、
前記開口部を通って前記部屋内に入る音を整合するために、前記１組のスピーカーに対して、１つ又は複数の出力信号を前記決定することは、前記第１の基準信号に基づいて実行される、
請求項１から請求項１０のいずれか一項に記載の方法。
【請求項１２】
部屋内における雑音消去のためのサウンドシステムであって、
第１のマイクロフォン入力信号を含む、１つ又は複数のマイクロフォン入力信号を提供するための１組のマイクロフォンと、
１つ又は複数の出力信号に基づいてサウンド信号を出力するように構成されている１組のスピーカーと、
前記１組のマイクロフォン及び前記１組のスピーカーに接続された処理デバイスであって、信号プロセッサを備える前記処理デバイスと、
を備え、
前記信号プロセッサは、前記部屋の壁面の開口部を通って前記部屋に入る音を整合するために、前記１組のスピーカーに対して前記１つ又は複数の出力信号を決定するように構成されており、前記１つ又は複数の出力信号は、少なくとも前記第１のマイクロフォン入力信号に基づいており、
前記１組のスピーカーは、前記１つ又は複数の出力信号に基づく前記サウンド信号を出力するように構成されている、
サウンドシステム。
【請求項１３】
前記１組のスピーカーは、スピーカーの疎アレイを含み、
スピーカーの前記疎アレイは、Ｎ個の行及びＭ個の列を含み、
前記疎アレイにおける行の数Ｎは、少なくとも３であり、前記疎アレイにおける列の数Ｍは、少なくとも３である、
請求項１２に記載のサウンドシステム。
【請求項１４】
スピーカーの前記疎アレイは、前記開口部に配置されるスピーカーの第１の中央列を少なくとも含み、前記第１の中央列におけるスピーカーの数は、少なくとも５である、請求項１３に記載のサウンドシステム。
【請求項１５】
スピーカーの前記疎アレイは、前記開口部に配置されるスピーカーの第１の中央行を少なくとも含み、前記第１の中央行におけるスピーカーの数は、少なくとも５である、請求項１３から請求項１４のいずれか一項に記載のサウンドシステム。
【請求項１６】
スピーカーの前記疎アレイは、少なくとも３つのセルを形成する、請求項１３から請求項１５のいずれか一項に記載のサウンドシステム。
【発明の詳細な説明】
【技術分野】
【０００１】
本開示は、部屋内における雑音消去のための方法、及び雑音消去のためのサウンドシステムに関する。
【背景技術】
【０００２】
穏やかな気候の多くの職場では、例えば、夏の数ヶ月は換気のために窓を開けることが望ましい場合がある。開放された窓によって、外部からの大音量で煩わしい音が入ってきてしまうことがよくあり得る。
【発明の概要】
【０００３】
従って、実質的に自由な外部への換気通路を維持しながら、職場又は部屋内の騒音レベルを低減する方法及びシステムが必要とされている。
【０００４】
部屋内における雑音消去のための方法が開示される。この方法は、第１のマイクロフォン入力信号を含む、１つ又は複数のマイクロフォン入力信号を提供するために、部屋の壁面の開口部から離れた位置に１組のマイクロフォンを配置することと、開口部の近傍に１組のスピーカーを配置することと、少なくとも第１のマイクロフォン入力信号に基づいて、開口部を通って部屋内に入る音の消去及び／又は低減といった整合のために、１組のスピーカーに対して１つ又は複数の出力信号を決定することと、１つ又は複数の出力信号を生成することと、１組のスピーカーを用いて、１つ又は複数の出力信号に基づくサウンド信号を出力することと、を含む。
【０００５】
さらに、部屋内における雑音消去のためのサウンドシステムが開示される。このサウンドシステムは、第１のマイクロフォン入力信号を含む、１つ又は複数のマイクロフォン入力信号を提供するための１組のマイクロフォンと、出力信号に基づいてサウンド信号を出力するための１組のスピーカーと、１組のマイクロフォン及び１組のスピーカーに接続された処理デバイスであって、信号プロセッサを備える処理デバイスと、を備える。信号プロセッサは、部屋の壁面の開口部を通って部屋に入る音の消去及び／又は低減といった整合のために、１組のスピーカーに対して、少なくとも第１のマイクロフォン入力信号に基づいて１つ又は複数の出力信号を決定し、１つ又は複数の出力信号を生成し、出力信号を１組のスピーカーに出力するように構成されている。
【０００６】
本開示は、新鮮な空気が部屋に入ることを可能にするが、部屋内の騒音を低減するか、又は外部の騒音が部屋に入らないようにする方法を可能にする。
【０００７】
本開示の重要な利点は、開口部の本来の機能を実質的に保ちながら、外部からの騒音を大幅に低減するか、又は外部からの騒音が部屋内に入ることを防止することである。
【０００８】
本開示は、開放された窓のような開口部を通って部屋に入る雑音の全体的な消去（又は全体的な低減）を提供する。本開示によれば、音／雑音は、部屋に入る時に消去される。一旦、音／雑音が部屋に入ってしまうと、音／雑音が部屋内の全ての面から反射し始めてしまい、全体的な消去ができなくなる。
【０００９】
部屋内における雑音消去のための方法は、第１のマイクロフォン入力信号を含む、１つ又は複数のマイクロフォン入力信号を提供するために、部屋の壁面の開口部から離れた位置に１組のマイクロフォンを配置することと、開口部の近傍に１組のスピーカーを配置することと、少なくとも第１のマイクロフォン入力信号に基づいて、開口部を通って部屋内に入る音を整合するために、１組のスピーカーに対して１つ又は複数の出力信号を決定することと、１組のスピーカーを用いて、１つ又は複数の出力信号に基づくサウンド信号を出力することと、を含む。
【００１０】
任意で、１組のスピーカーは、壁面の開口部の外縁に沿って配置され、かつ壁面の開口部の中央を通る十字形に配置される。任意で、１組のスピーカーは、均等に分配される。
【００１１】
任意で、１組のスピーカーは、平坦な周波数応答を有する。
【００１２】
任意で、本方法は、１組のスピーカーに対して１つ又は複数の駆動信号を生成することをさらに含み、１つ又は複数の駆動信号は、１つ又は複数の出力信号であるか、あるいは１つ又は複数の出力信号に基づいている。
【００１３】
任意で、本方法は、駆動信号を増幅することをさらに含む。
【００１４】
任意で、１組のマイクロフォンは、少なくとも１０個のマイクロフォンを含む。
【００１５】
任意で、１組のスピーカーは、少なくとも１０個のスピーカーを含む。
【００１６】
任意で、１組のマイクロフォンは、開口部から０．５ｍよりも大きい距離に配置された第１の組のマイクロフォンを含む。
【００１７】
任意で、１組のマイクロフォンは、開口部の縁部に配置された第２の組のマイクロフォンを含む。
【００１８】
任意で、開口部の近傍に１組のスピーカーを配置することは、開口部を跨いで第１の複数のスピーカーを分配することを含む。
【００１９】
任意で、開口部の近傍に１組のスピーカーを配置することは、開口部の周囲に沿って第２の複数のスピーカーを配置することを含む。
【００２０】
任意で、開口部の近傍に１組のスピーカーを配置することは、開口部を跨いで疎アレイで、スピーカーの少なくともいくつかを配置することを含む。任意で、本方法は、第１の基準信号を提供するために、部屋内に第１の基準マイクロフォンを配置することをさらに含み、開口部を通って部屋に入る音を整合させるために、１組のスピーカーに対して１つ又は複数の出力信号を決定することは、第１の基準信号に基づいて実行される。
【００２１】
部屋内における雑音消去のためのサウンドシステムは、第１のマイクロフォン入力信号を含む、１つ又は複数のマイクロフォン入力信号を提供するための１組のマイクロフォンと、１つ又は複数の出力信号に基づいてサウンド信号を出力するように構成されている１組のスピーカーと、１組のマイクロフォン及び１組のスピーカーに接続された処理デバイスであって、信号プロセッサを備える処理デバイスとを備え、信号プロセッサは、部屋の壁面の開口部を通って部屋に入る音を整合するために、１組のスピーカーに対して１つ又は複数の出力信号を決定するように構成されており、１つ又は複数の出力信号は、少なくとも第１のマイクロフォン入力信号に基づいており、１組のスピーカーは、１つ又は複数の出力信号に基づくサウンド信号を出力するように構成されている。
【００２２】
任意で、１組のスピーカーは、壁面の開口部の外縁に沿って配置され、かつ壁面の開口部の中央を通る十字形に配置される。任意で、１組のスピーカーは、均等に分配される。
【００２３】
任意で、１組のスピーカーは、平坦な周波数応答を有する。
【００２４】
任意で、１組のスピーカーは、スピーカーの疎アレイを含み、スピーカーの疎アレイは、Ｎ個の行及びＭ個の列を含み、疎アレイにおける行の数Ｎは、少なくとも３であり、及び／又または、疎アレイにおける列の数Ｍは、少なくとも３である。
【００２５】
任意で、スピーカーの疎アレイは、開口部に配置されるスピーカーの第１の中央列を少なくとも含み、第１の中央列におけるスピーカーの数は、少なくとも５である。
【００２６】
任意で、スピーカーの疎アレイは、開口部に配置されるスピーカーの第１の中央行を少なくとも含み、第１の中央行におけるスピーカーの数は、少なくとも５である。
【００２７】
任意で、スピーカーの疎アレイは、少なくとも３つのセルを形成する。
【００２８】
部屋内における雑音消去の方法は、第１のマイクロフォン入力信号を含む、１つ又は複数のマイクロフォン入力信号を提供するために、部屋の壁面の開口部から離れた位置に１組のマイクロフォンを配置することと、開口部の近傍に１組のスピーカーを配置することと、少なくとも第１のマイクロフォン入力信号に基づいて、開口部を通って部屋内に入る音を整合するために、１組のスピーカーに対して１つ又は複数の出力信号を決定することと、１つ又は複数の出力信号を生成することと、１組のスピーカーを用いて、１つ又は複数の出力信号に基づくサウンド信号を出力することと、を含む。
【００２９】
任意で、１組のスピーカーは、壁面の開口部の外縁に沿って配置され、かつ壁面の開口部の中央を通る十字形に配置される。任意で、１組のスピーカーは均等に分配される。
【００３０】
任意で、１組のスピーカーは、平坦な周波数応答を有する。
【００３１】
任意で、１組のスピーカーに対して１つ又は複数の出力信号を決定することは、１組のスピーカーの各々のスピーカーに対して駆動信号を決定することを含む。
【００３２】
任意で、出力信号を生成することは、駆動信号を生成することと、駆動信号を増幅することと、を含む。
【００３３】
任意で、１組のマイクロフォンは、少なくとも１０個のマイクロフォンを含む。
【００３４】
任意で、１組のスピーカーは、少なくとも１０個のスピーカーを含む。
【００３５】
任意で、１組のマイクロフォンは、開口部から０．５ｍよりも大きい距離に配置された第１の組のマイクロフォンを含む。
【００３６】
任意で、１組のマイクロフォンは、開口部の縁部に配置された第２の組のマイクロフォンを含む。
【００３７】
任意で、開口部の近傍に１組のスピーカーを配置することは、開口部を跨いで第１の組のスピーカーを分配することを含む。
【００３８】
任意で、開口部の近傍に１組のスピーカーを配置することは、開口部の周囲に沿って第２の組のスピーカーを配置することを含む。
【００３９】
任意で、開口部の近傍に１組のスピーカーを配置することは、開口部を跨いで疎アレイで、１組のスピーカーを配置することを含む。
【００４０】
任意で、本方法は、第１の基準信号を提供するために、第１の基準マイクロフォンを部屋内に配置することをさらに含み、開口部を通って部屋内に入る音を整合するために、１組のスピーカーに対して１つ又は複数の出力信号を決定することは、第１の基準信号に基づいている。
【００４１】
部屋内における雑音消去のためのサウンドシステムは、第１のマイクロフォン入力信号を含む、１つ又は複数のマイクロフォン入力信号を提供するための１組のマイクロフォンと、出力信号に基づいてサウンド信号を出力するための１組のスピーカーと、１組のマイクロフォン及び１組のスピーカーに接続された処理デバイスであって、信号プロセッサを備える処理デバイスと、を備え、信号プロセッサは、部屋の壁面の開口部を通って部屋に入る音を整合するために、１組のスピーカーに対して、少なくとも第１のマイクロフォン入力信号に基づいて出力信号を決定し、出力信号を生成し、出力信号を１組のスピーカーに出力するように構成されている。
【００４２】
任意で、１組のスピーカーは、壁面の開口部の外縁に沿って配置され、かつ壁面の開口部の中央を通る十字形に配置される。任意で、１組のスピーカーは、均等に分配される。
【００４３】
任意で、１組のスピーカーは、平坦な周波数応答を有する。
【００４４】
任意で、１組のスピーカーは、スピーカーの疎アレイを含み、スピーカーの疎アレイは、Ｎ個の行及びＭ個の列を含み、疎アレイにおける行の数Ｎは、少なくとも３であり、疎アレイにおける列の数Ｍは、少なくとも３である。
【００４５】
任意で、スピーカーの疎アレイは、開口部に配置されるスピーカーの第１の中央列を少なくとも含み、第１の中央列におけるスピーカーの数は、少なくとも５である。
【００４６】
任意で、スピーカーの疎アレイは、開口部に配置されるスピーカーの第１の中央行を少なくとも含み、第１の中央行におけるスピーカーの数は、少なくとも５である。
【００４７】
任意で、スピーカーの疎アレイは、少なくとも３つのセルを形成する。
【図面の簡単な説明】
【００４８】
本開示の上記及び他の特徴及び利点は、添付の図面を参照した例示的な実施形態である以下の詳細な説明によって、当業者に対して容易に明らかになるであろう。
【００４９】
【図１】本開示の例示的なサウンドシステムを概略的に示す。
【００５０】
【図２】例示的な１組のスピーカーを示す。
【００５１】
【図３】例示的な処理デバイスを示す。
【００５２】
【図４】本開示の例示的な方法のフロー図である。
【発明を実施するための形態】
【００５３】
様々な例示的な実施形態及び詳細は、関連する場合には図面を参照して、以下に記載される。図面は、原寸に比例して描かれていてもよいし、又は描かれていなくてもよく、同様の構造又は機能の要素は、図面全てを通して同様の参照番号により表されることに留意されたい。また、図面は、実施形態の説明を容易にすることのみを意図していることにも留意されたい。それらは、特許請求の範囲に記載された発明の包括的な説明として、又は特許請求の範囲に記載された発明の範囲に対する限定として意図されていない。さらに、図示された実施形態は、図示された態様又は利点の全てを有する必要はない。特定の実施形態に関連して説明される態様又は利点は、必ずしもその実施形態に限定されず、そのように図示されていなくても、あるいはそのように明示的に説明されていなくても、任意の他の実施形態において実施することができる。
【００５４】
本開示は、部屋内における雑音消去のための方法を特徴とする。その方法は、第１のマイクロフォン入力信号を含む、１つ又は複数のマイクロフォン入力信号を提供するために、部屋の壁面の開口部から離れた位置に１組のマイクロフォンを配置することを含む。開口部は、窓の開口部であってもよい。開口部は、通気チャネルであってもよい。１組のマイクロフォンは、部屋の外において任意に配置される。１組のマイクロフォンは、第１のマイクロフォン入力信号及び第２のマイクロフォン入力信号を含む、複数のマイクロフォン入力信号を提供するために、マイクロフォンアレイなどの複数のマイクロフォンを含んでもよい。１組のマイクロフォンは、４つ以上のマイクロフォンを含んでもよく、例えば少なくとも１０個のマイクロフォンを含んでもよく、対応するマイクロフォン入力信号を提供してもよい。
【００５５】
１組のマイクロフォンは、第１のマイクロフォン入力信号を提供するための第１のマイクロフォンを備える。第１のマイクロフォンは、開口部から第１の距離にある第１の位置に配置される。１組のマイクロフォンは、第２のマイクロフォン入力信号を提供するための第２のマイクロフォンを、任意で備える。第２のマイクロフォンは、開口部から第２の距離にある第２の位置に配置される。第２の距離は、第１の距離と同じであってもよいし、異なっていてもよい。開口部からのマイクロフォンの距離は、部屋の壁面に垂直な軸に沿って測定される。
【００５６】
１組のマイクロフォンは、例えば、第１のマイクロフォン及び／又は第２のマイクロフォンを含む、第１の組のマイクロフォンを含んでもよい。第１の組のマイクロフォンは、例えば、開口部から０．５ｍより大きい距離に配置されてよく、例えば、開口部から１．０ｍから４．０ｍまでの範囲の距離に配置されてよい。第１の組のマイクロフォンは、第１の組のマイクロフォン入力信号を提供し、開口部を通って部屋に入る音を、例えば、消去及び／又は低減するなど整合するために、１組のスピーカーに対して１つ又は複数の出力信号を決定することは、第１の組のマイクロフォン入力信号に基づいてもよい。第１の組のマイクロフォンは、部屋の外に配置されてもよい。
【００５７】
１組のマイクロフォンは、例えば、第２のマイクロフォンを備える第２の組のマイクロフォンを含んでもよい。第２の組のマイクロフォンは、開口部から０．５ｍ未満の距離に配置されてもよい。第２の組のマイクロフォンは、開口部の縁部に配置されてもよい。第２の組のマイクロフォンは、第２の組のマイクロフォン入力信号を提供し、開口部を通って部屋に入る音を、例えば、消去及び／又は低減するなど整合するために、１組のスピーカーに対して１つ又は複数の出力信号を決定することは、第２の組のマイクロフォン入力信号に基づいてもよい。第１の組のマイクロフォンは、第２の組のマイクロフォンの開口部からの距離とは異なる距離だけ、開口部から離れて配置されてもよい。２つの距離の差は、少なくとも０．２５ｍであってよく、例えば、少なくとも１ｍであってよい。第２の組のマイクロフォンは、部屋に入る音の消去を達成するために、遅延時間及び／又は適切な振幅を正確に決定することを可能にする。これにより、部屋内では外部雑音の改善された消去が達成される。第２の組のマイクロフォンは、部屋の内部、内側及び／又は外部に配置されてもよい。
【００５８】
本方法は、トランスデューサとも呼ばれる１組のスピーカーを、例えば、１つ又は複数の縁部に、及び／又は開口部を跨いでなどのように、開口部の近傍に配置することを含む。１組のスピーカーは、少なくとも１０個のスピーカーを含んでよく、例えば、少なくとも４０個のスピーカーを含んでよく、例えば、５０〜１００個のスピーカーを含んでよい。１組のスピーカーは、例えば、開口部の内側及び／又は外側で、開口部から１ｍ未満の距離、例えば、開口部から０．５ｍ未満の距離、例えば、開口部から０．１ｍ未満の距離、に配置されてもよい。
【００５９】
本方法では、開口部の近傍に１組のスピーカーを配置することは、開口部を跨いで第１の組のスピーカーを分配することを任意で含む。第１の組のスピーカーは、少なくとも１０個のスピーカーを備えてよく、例えば、少なくとも２０個のスピーカーを備えてよい。
【００６０】
本方法では、開口部の近傍に１組のスピーカーを配置することは、開口部の周囲に沿って第２の組のスピーカーを配置することを任意で含む。第２の組のスピーカーは、少なくとも１０個のスピーカーを備えてよく、例えば、少なくとも２０個のスピーカーを備えてよい。
【００６１】
本方法では、開口部の近傍に１組のスピーカーを配置することは、開口部の縁部に及び／又は開口部を跨いで、疎アレイで、１組のスピーカーを配置することを任意で含む。スピーカーの疎アレイなどの１組のスピーカーは、例えば、開口部の内側及び／又は外側で、開口部から１ｍ未満の距離、例えば、開口部から０．５ｍ未満の距離、例えば、開口部から０．１ｍ未満の距離、に配置されてもよい。
【００６２】
本方法は、少なくとも第１のマイクロフォン入力信号に基づいて、開口部を通って部屋に入る音の消去及び／又は低減といった整合のために、１組のスピーカーに対して１つ又は複数の出力信号を決定することを含む。本方法において、１組のスピーカーに対して１つ又は複数の出力信号を決定することは、１組のスピーカーの各々のスピーカーに対して駆動信号を決定することを含んでもよい。本方法において、１組のスピーカーに対して１つ又は複数の出力信号を決定することは、第１の組のスピーカーに対して第１の出力信号を決定することを含んでもよい。本方法において、１組のスピーカーに対して１つ又は複数の出力信号を決定することは、第２の組のスピーカーに対して第２の出力信号を決定することを含んでもよい。１つ又は複数の出力信号を決定することは、１つ又は複数のマイクロフォン入力信号を処理するための信号処理パラメータを決定することを含んでもよい。例示的な信号処理パラメータは、フィルタ係数及び／又は利得係数を含む。信号処理パラメータは、信号処理デバイスのメモリに記憶されてもよい。
【００６３】
本方法は、第１の出力信号及び／又は第２の出力信号といった、１つ又は複数の出力信号を生成することと、第１の出力信号及び／又は第２の出力信号といった、１つ又は複数の出力信号に基づいて、第１の組のスピーカー及び／又は第２の組のスピーカーといった、１組のスピーカーを用いてサウンド信号を出力することと、を含む。１つ又は複数の出力信号を生成することは、駆動信号を生成することと、駆動信号を増幅することと、を含んでもよい。１つ又は複数の出力信号を生成することは、信号処理パラメータに従って、１つ又は複数のマイクロフォン入力信号を処理することを含んでもよい。
【００６４】
本方法は、第１の基準信号を提供するために、第１の基準マイクロフォンを部屋内に配置することを含んでもよい。本方法では、開口部を通って部屋に入る音の消去及び／又は低減といった整合のために、１組のスピーカーに対して１つ又は複数の出力信号を決定することは、任意で、第１の基準信号に基づいている。これにより、開口部から離れた位置に配置されたマイクロフォンに基づいて、フィードフォワード雑音消去を評価及び／又は制御することができる。部屋内の基準マイクロフォンは、理想的には消去されたであろう音のうちどれだけが実際に部屋内に入ってきているかを検出することができる。この「エラーシグナル」の大きさを用いて、消去信号の総合的なレベルを調整することで、外部からの音を最良に低減することができる。
【００６５】
１つ又は複数の例示的な方法において、１つ又は複数の出力信号を生成することは、１組のスピーカーの各々のスピーカー又は１組のスピーカーのうちの別個のグループのスピーカーに、別個にイコライゼーションフィルタ又は補正フィルタを適用するなど、１つ又は複数のマイクロフォン信号にイコライゼーションフィルタを適用することを含んでもよい。
【００６６】
１つ又は複数の例示的な方法では、１つ又は複数の出力信号を生成することは、有限インパルス応答（ＦＩＲ）バンドパスフィルターを適用することを含んでもよい。
【００６７】
本方法は、第１の開口部パラメータ及び／又は第２の開口部パラメータを含む、１つ又は複数の開口部パラメータを取得することと、第１の開口部パラメータ及び／又は第２の開口部パラメータといった、１つ又は複数の開口部パラメータに基づいて、１組のスピーカーのスピーカー構成を任意で選択することとを含んでもよい。第１の開口部パラメータは、開口部の高さ及び／又は幅といった、開口部の大きさを示してもよい。第１の開口部パラメータは、開口部の半径及び／又は開口部の直径を示してもよい。第２の開口部パラメータは、矩形、円形、楕円形等の開口形状を示してもよい。
【００６８】
１組のスピーカーのスピーカー構成を選択することは、１つ又は複数の開口部パラメータに基づいて、スピーカーの疎アレイの１つ又は複数のアレイパラメータを決定することと、１つ又は複数のアレイパラメータに基づいて、スピーカー構成を選択することと、を含んでもよい。第１のアレイパラメータは、疎アレイにおける行の数であってよい。第２のアレイパラメータは、疎アレイにおける列の数であってよい。第３のアレイパラメータといった、１つ又は複数の例示的なアレイパラメータは、疎アレイの行におけるスピーカーの数、及び／又は疎アレイの列におけるスピーカーの数など、スピーカーの疎アレイにおけるスピーカーの数を示してもよい。第４のアレイパラメータ及び／又は第５のアレイパラメータといった、１つ又は複数の例示的な行列パラメータは、隣接する列間及び／又は行間の距離を示してもよい。
【００６９】
本方法では、開口部を通って部屋に入る音の消去及び／又は低減といった整合のために、１組のスピーカーに対して１つ又は複数の出力信号を決定することは、１組のスピーカーのスピーカー構成に基づいてもよい。
【００７０】
さらに、サウンドシステムが開示される。サウンドシステムは、本明細書中に開示される方法、又は少なくともその方法に含まれるステップを実行するように構成されてよい。
【００７１】
サウンドシステムは、第１のマイクロフォン入力信号を含む、１つ又は複数のマイクロフォン入力信号を提供するための１組のマイクロフォンを備える。１組のマイクロフォンの更なる詳細は、図面を参照して上述されている。
【００７２】
サウンドシステムは、出力信号に基づいてサウンド信号を出力するための１組のスピーカーを備える。１組のスピーカーの更なる詳細は、図面を参照して上述されている。
【００７３】
サウンドシステムは、１組のマイクロフォン及び１組のマイクロフォンに接続された処理デバイスを備え、処理デバイスは信号プロセッサを備える。信号プロセッサは、部屋の壁面の開口部を通って部屋に入る音の消去及び／又は低減といった整合のために、１組のスピーカーに対して、少なくとも第１のマイクロフォン入力信号に基づく出力信号を決定し、出力信号を生成し、出力信号を１組のスピーカーに出力するように構成されている。
【００７４】
本方法及び／又はサウンドシステムでは、１組のスピーカーは、スピーカーの疎アレイを含んでもよい。このスピーカーの疎アレイは、Ｎ個の行及びＭ個の列を含む。疎アレイにおける行の数Ｎは、少なくとも２又は少なくとも３であってよく、例えば、例えば３、４、５、又は５より多くてもよい。疎アレイにおける列の数Ｍは、少なくとも２又は少なくとも３であってよく、例えば３、４、５、又は５より多くてもよい。
【００７５】
１組のスピーカーのうちのスピーカー（いくつかのスピーカー）は、例えば、疎アレイで配置される場合、例えば、直線状の第１の中央行軸に沿って、第１の中央行に配置されてもよい。第１の中央行におけるスピーカーの数ＮＣＲ＿１は、例えば、ＮＣＲ＿１＞Ｍのように、疎アレイにおける列の数Ｍよりも大きくてもよい。１つ又は複数の例示的な方法／サウンドシステムでは、第１の中央行におけるスピーカーの数ＮＣＲ＿１は、３よりも大きくてよく、例えば、５よりも大きくてよく、例えば、６、１０、１２、１６、１８、２０、又は２０より大きくてもよい。したがって、疎アレイは、スピーカーの第１の中央行を含んでもよい。１つ又は複数の例示的な方法／サウンドシステムでは、スピーカーの疎アレイは、開口部内及び／又は開口部を跨いで配置されるスピーカーの第１の中央行を少なくとも任意で含み、第１の中央行におけるスピーカーの数は、少なくとも５であってもよい。
【００７６】
１組のスピーカーのうちのスピーカー（いくつかのスピーカー）は、例えば、疎アレイで配置される場合、例えば、直線状の第２の中央行軸に沿って、第２の中央行に配置されてもよい。第２の中央行におけるスピーカーの数ＮＣＲ＿２は、例えば、ＮＣＲ＿２＞Ｍのように、疎アレイにおける列の数Ｍよりも大きくてもよい。１つ又は複数の例示的な方法／サウンドシステムでは、第２の中央行におけるスピーカーの数ＮＣＲ＿２は、３よりも大きくてよく、例えば、５よりも大きくてよく、例えば、６、１０、１２、１６、１８、２０、又は２０より大きくてもよい。したがって、疎アレイは、スピーカーの第２の中央行を含んでもよい。１つ又は複数の例示的な方法／サウンドシステムでは、スピーカーの疎アレイは、開口部内及び／又は開口部を跨いで配置されるスピーカーの第２の中央行を少なくとも任意で含み、第２の中央行におけるスピーカーの数は、少なくとも５であってもよい。
【００７７】
１組のスピーカーのうちのスピーカー（いくつかのスピーカー）は、例えば、疎アレイで配置される場合、例えば、直線状の第１のエッジ行軸に沿って、第１のエッジ行に配置されてもよい。第１のエッジ行におけるスピーカーの数ＮＥＲ＿１は、例えば、ＮＥＲ＿１＞Ｍのように、疎アレイにおける列の数Ｍよりも大きくてもよい。１つ又は複数の例示的な方法／サウンドシステムでは、第１のエッジ行におけるスピーカーの数ＮＥＲ＿１は、３よりも大きくてよく、例えば、５よりも大きくてよく、例えば、６、１０、１２、１６、１８、２０、又は２０より大きくてもよい。したがって、疎アレイは、スピーカーの第１のエッジ行を含んでもよい。スピーカーの第１のエッジ行は、開口部の第１のエッジに沿って配置されてもよい。
【００７８】
１組のスピーカーのうちのスピーカー（いくつかのスピーカー）は、例えば、疎アレイで配置される場合、例えば、直線状の第２のエッジ行軸に沿って、第２のエッジ行に配置されてもよい。第２のエッジ行におけるスピーカーの数ＮＥＲ＿２は、例えば、ＮＥＲ＿２＞Ｍのように、疎アレイにおける列の数Ｍよりも大きくてもよい。１つ又は複数の例示的な方法及び／又はサウンドシステムでは、第２のエッジ行におけるスピーカーの数ＮＥＲ＿２は、３よりも大きくてよく、例えば、５よりも大きくてよく、例えば、６、１０、１２、１６、１８、２０、又は２０より大きくてもよい。したがって、疎アレイは、スピーカーの第２のエッジ行を含んでもよい。スピーカーの第２のエッジ行は、開口部の第２のエッジに沿って配置されてもよい。
【００７９】
疎アレイにおける列の数Ｍは、少なくとも２又は少なくとも３であってもよく、例えば、３、４、５、又は５より大きくてもよい。
【００８０】
１組のスピーカーのうちのスピーカー（いくつかのスピーカー）は、例えば、疎アレイで配置される場合、例えば、直線状の第１の中央列軸に沿って、第１の中央列に配置されてもよい。第１の中央列におけるスピーカーの数ＭＣＣ＿１は、例えば、ＭＣＣ＿１＞Ｎのように、疎アレイにおける列の数Ｎよりも大きくてもよい。１つ又は複数の例示的な方法／サウンドシステムでは、第１の中央列におけるスピーカーの数ＭＣＣ＿１は、３よりも大きくてよく、例えば、５よりも大きくてよく、例えば、６、１０、１２、１６、１８、２０、又は２０より大きくてもよい。したがって、疎アレイは、スピーカーの第１の中央列を含んでもよい。１つ又は複数の例示的な方法及び／又はサウンドシステムでは、スピーカーの疎アレイは、開口部内及び／又は開口部を跨いで配置されるスピーカーの第１の中央列を少なくとも任意で含み、第１の中央列におけるスピーカーの数は、少なくとも５であってもよい。
【００８１】
１組のスピーカーのうちのスピーカー（いくつかのスピーカー）は、例えば、疎アレイで配置される場合、例えば、直線状の第２の中央列軸に沿って、第２の中央列に配置されてもよい。第２の中央列におけるスピーカーの数ＭＣＣ＿２は、例えば、ＭＣＣ＿２＞Ｎのように、疎アレイにおける列の数Ｎよりも大きくてもよい。１つ又は複数の例示的な方法／サウンドシステムでは、第２の中央列におけるスピーカーの数ＭＣＣ＿２は、３よりも大きくてよく、例えば、５よりも大きくてよく、例えば、６、１０、１２、１６、１８、２０、又は２０より大きくてもよい。したがって、疎アレイは、スピーカーの第２の中央列を含んでもよい。１つ又は複数の例示的な方法及び／又はサウンドシステムでは、スピーカーの疎アレイは、開口部内及び／又は開口部を跨いで配置されるスピーカーの第２の中央列を少なくとも任意で含み、第２の中央列におけるスピーカーの数は、少なくとも５であってもよい。
【００８２】
１組のスピーカーのうちのスピーカー（いくつかのスピーカー）は、例えば、疎アレイで配置される場合、例えば、直線状の第１のエッジ列軸に沿って、第１のエッジ列に配置されてもよい。第１のエッジ列におけるスピーカーの数ＭＥＣ＿１は、例えば、ＭＥＣ＿１＞Ｎのように、疎アレイにおける行の数Ｎよりも大きくてもよい。１つ又は複数の例示的な方法／サウンドシステムでは、第１のエッジ列におけるスピーカーの数ＭＥＣ＿１は、３よりも大きくてよく、例えば、５よりも大きくてよく、例えば、６、１０、１２、１６、１８、２０、又は２０より大きくてもよい。したがって、疎アレイは、スピーカーの第１のエッジ列を含んでもよい。スピーカーの第１のエッジ列は、開口部の第３のエッジに沿って配置されてもよい。
【００８３】
１組のスピーカーのうちのスピーカー（いくつかのスピーカー）は、例えば、疎アレイに配置される場合、例えば、直線状の第２のエッジ列軸に沿って、第２のエッジ列に配置されてもよい。第２のエッジ列におけるスピーカーの数ＭＥＣ＿２は、例えば、ＭＥＣ＿２＞Ｎのように、疎アレイにおける行の数Ｎよりも大きくてもよい。１つ又は複数の例示的な方法及び／又はサウンドシステムでは、第２のエッジ列におけるスピーカーの数ＭＥＣ＿２は、３よりも大きくてよく、例えば、５よりも大きくてよく、例えば、６、１０、１２、１６、１８、２０、又は２０より大きくてもよい。したがって、疎アレイは、スピーカーの第２のエッジ列を含んでもよい。スピーカーの第２のエッジ列は、開口部の第４のエッジに沿って配置されてもよい。
【００８４】
セルの疎アレイは、多数のセルを形成する。スピーカーの疎アレイは、少なくとも３つのセルを形成してよく、例えば、４個、８個、９個、１０個、１２個、１６個、２０個、２５個又は２５個より多いセルを形成してもよい。１つ又は複数の例示的な方法／サウンドシステムでは、疎アレイのセルは、正方形及び／又は矩形であってもよい。例えば、疎アレイの１つのセル、又は疎アレイの全てのセル等の複数のセルは、０．８から１．２までの範囲の高さ／幅比を有する。１つ又は複数の例示的な方法／サウンドシステムでは、疎アレイの１つのセル、又は疎アレイの全てのセル等の複数のセルは、１０ｃｍから５０ｃｍまでの範囲の幅を有してよく、例えば２０ｃｍから４０ｃｍまでの範囲の幅を有してもよい。１つ又は複数の例示的な方法／サウンドシステムでは、疎アレイの１つのセル、又は疎アレイの全てのセル等の複数のセルは、１０ｃｍから５０ｃｍまでの範囲の高さを有してよく、例えば２０ｃｍから４０ｃｍまでの範囲の高さを有してもよい。
【００８５】
疎アレイは、２０ｃｍから２ｍまでの範囲の幅を有してよく、例えば、約０．５ｍ、約１ｍ、又は約１．５ｍといった幅を有してよい。１つ又は複数の例示的な方法／サウンドシステムでは、疎アレイは、０．４ｍから１ｍまでの範囲の幅を有する。
【００８６】
疎アレイは、２０ｃｍから２ｍまでの範囲の高さを有してよく、例えば、約０．５ｍ、約１ｍ、又は約１．５ｍといった高さを有してよい。１つ又は複数の例示的な方法／サウンドシステムでは、疎アレイは、０．４ｍから１ｍまでの範囲の高さを有する。
【００８７】
第２の組のスピーカーなどの１組のスピーカーのうちのスピーカー（いくつかのスピーカー）は、例えば、円形又は楕円形のような湾曲した開口部の縁部など、開口部の縁部に沿って配置されてもよい。開口部の湾曲した縁部に沿ったスピーカーの数ＮＥＳは、１０以上であってもよい。したがって、疎アレイは、例えば、開口部の湾曲した縁部に沿って配置された、少なくとも１０個の縁部スピーカーを備えてもよい。
【００８８】
本開示では、「部屋」は、建物構造内における任意の囲まれた空間として理解されるべきである。その空間は、平均的な家の寝室と同じくらい小さくてもよいし、飛行機の格納庫と同じくらい大きくてもよい。その空間は完全に無響ではないと想定されるが、残響時間又は残響の他の特性についてはこれ以上想定しないこととする。
【００８９】
本開示では、「全体的な消去、又は全体的な低減」は、開口部（開放された窓又は通気チャネルなど）を通って入る音が、部屋内のほとんどの位置で低減されることであると理解されるべきであり、任意で、低減の大きさが、部屋内の人又は物体を動かすことによって著しく変化しないことが理解されるべきである。
【００９０】
本開示によれば、１組のスピーカーは、例えば、開口部の内側又は外側において、開口部／窓の開口部の周囲、及び／又は開口部／窓の開口部の中に／を跨いで、配置されるか、あるいは配置されるように構成されている。開口部内のスピーカーの数及び／又は大きさを小さくすることにより、開口部を介する視界及び／又は換気が、実質的に妨害されないようにすることが可能である。サウンドシステムは、フィードフォワードキャンセルシステムであり、キャンセルソース（スピーカー）位置から「上流にある」１組のマイクロフォンによって、入ってくる音を検知する。消去に必要とされる出力信号は、キャンセルソース（スピーカー）に対して「フィードフォワード」され、充分な消去を達成するために、適切なタイミング及びレベルで伝送される。
【００９１】
本方法及び／又はサウンドシステムは、特に、２００Ｈｚから１５００Ｈｚまでの周波数範囲、例えば３００Ｈｚから１２００Ｈｚまでの範囲における雑音消去に有効である。
【００９２】
図１は、部屋２内における雑音消去のための例示的なサウンドシステム１を示す。サウンドシステム１は、第１のマイクロフォン入力信号６Ａを含む、１つ又は複数のマイクロフォン入力信号６を提供するための、マイクロフォンアレイ４Ａといった、１組のマイクロフォン４を備える。１組のマイクロフォン４は、部屋２の外で、部屋２の壁面１０の開口部８から、例えば約１ｍ又は２ｍといった距離を隔てて配置されている。サウンドシステム１は、出力信号１４に基づくサウンド信号を出力するための１組のスピーカー１２と、１組のマイクロフォン４及び１組のスピーカー１２に接続された処理デバイス１５とを備える。１組のスピーカー１２は、サウンド信号を部屋内に出力するように配置されており、サウンド信号は、室外の１つ又は複数の雑音源などから開口部８を通って入る音を、消去する、又は少なくとも低減する。処理デバイス１５は、部屋の壁面の開口部を通って部屋に入る音の消去及び／又は低減といった整合のために、１組のスピーカー１２に対して出力信号１４を決定するように構成されている信号プロセッサ１６を備える。出力信号１４は、少なくとも第１のマイクロフォン入力信号６Ａに基づいており、任意で、第２のマイクロフォン入力信号、第３のマイクロフォン入力信号、及び第４のマイクロフォン入力信号といった、１つ又は複数の他のマイクロフォン入力信号に基づいている。信号プロセッサ１６はさらに、出力信号１４を生成し、出力信号１４を１組のスピーカー１２に出力するように構成されている。信号プロセッサ１６は、処理デバイスのハウジング１８に収容されてよい。処理デバイス１５は、部屋２の内部又は外部に取り付けられてよい。
【００９３】
図２は、例示的な１組のスピーカー１２を示す。１組のスピーカー１２は、スピーカーの疎アレイ２０を含み、このスピーカーの疎アレイは、スピーカー２２Ａを有する第１のエッジ行２２と、スピーカー２４Ａを有する第２のエッジ行２４と、スピーカー２６Ａを有する第１の中央行２６とを含む、３つの列を含む。疎アレイは、スピーカー２８Ａを有する第１のエッジ列２８と、スピーカー３０Ａを有する第２のエッジ列３０と、スピーカー３２Ａを有する第１の中央列３２とを含む、３つの列を含み、３つの行２２、２４、２６及び３つの列２８、３０、３２は、４つのセル３４、３６、３８、４０を形成する。各セル３４、３６、３８、４０は、０．１０ｍから１．００ｍまでの範囲の幅を有し、例えば、０．１５ｍから０．３０ｍまでの範囲の幅を有する。各セル３４、３６、３８、４０は、０．１０ｍから１．００ｍまでの範囲の高さを有し、例えば、０．１５ｍから０．３０ｍまでの範囲の高さを有する。
【００９４】
第１のエッジ行２２、第２のエッジ行２４、及び第１の中央行２６は、それぞれ、１２個のスピーカーを備える。即ち、ＮＥＲ＿１＝ＮＥＲ＿２＝ＮＣＲ＿１＝１２である。第１のエッジ列２８、第２のエッジ列３０、及び第１の中央列３２は、それぞれ、１２個のスピーカーを備える。即ち、ＭＥＲ＿１＝ＭＥＣ＿２＝ＭＣＣ＿１＝１２である。第１の中央行２６及び第１の中央列３２は、開口部を跨いで配置されるように構成されている。第１のエッジ行２２、第２のエッジ行２４、第１のエッジ列２８、及び第２のエッジ列３０の各々は、開口部の第１、第２、第３、及び第４のエッジに沿って配置されるように構成されている。
【００９５】
図示されている疎アレイ２０では、疎アレイ２０は、幅Ｗが約０．５ｍであり、高さＨが約０．５ｍである。
【００９６】
図３は、サウンドシステムの例示的な処理デバイス１５を示す。処理デバイスは、信号プロセッサ５０と、信号プロセッサ５０に接続されたインターフェース５２とを備える。インターフェース５２は、マイクロフォン入力信号を受信するために、１組のマイクロフォンと接続するように構成されている。インターフェース５２は、１組のスピーカーに出力信号を出力するために、１組のスピーカーと接続するように構成されている。信号プロセッサ５０は、部屋の壁面の開口部を通って部屋内に入る音を整合するために、１組のスピーカーに対して、インターフェース５２を介して受信された少なくとも第１のマイクロフォン入力信号６Ａに基づく出力信号１４を決定し、出力信号１４を生成し、インターフェース５２を介して、出力信号１４を１組のスピーカーへ出力するように構成されている。処理デバイス１５は、例えば、信号プロセッサ５０によって使用されるフィルタ係数及び／又は利得係数といった、信号処理パラメータを記憶するためのメモリ５４を含む。
【００９７】
図４は、本開示の例示的な方法のフロー図を示す。方法１００は、部屋内における雑音消去のための方法である。方法１００は、第１のマイクロフォン入力信号を含む、１つ又は複数のマイクロフォン入力信号を提供するために、部屋の壁面の開口部から離れた位置に１組のマイクロフォンを配置すること（１０２）と、開口部の近傍に１組のスピーカーを配置すること（１０４）と、少なくとも第１のマイクロフォン入力信号に基づいて、開口部を通って部屋に入る音を整合するために、１組のスピーカーに対して１つ又は複数の出力信号を決定すること（１０６）と、１つ又は複数の出力信号を生成すること（１０８）と、１組のスピーカーを用いて、１つ又は複数の出力信号に基づくサウンド信号を出力すること（１１０）と、を含む。
【００９８】
１つ又は複数の例示的な方法１００では、１組のスピーカーに対して１つ又は複数の出力信号を決定すること（１０６）は、１組のスピーカーの各々のスピーカーに対して駆動信号を決定すること（１０６Ａ）を任意で含み、出力信号を生成すること（１０８）は、駆動信号を生成すること（１０８Ａ）と、駆動信号を増幅することと、を含む。
【００９９】
本方法１００では、開口部の近傍に１組のスピーカーを配置すること（１０４）は、開口部を跨いで及び／又は開口部の周りに、疎アレイで、１組のスピーカーを配置すること（１０４Ａ）を任意で含む。
【０１００】
本方法１００は、第１の基準信号を提供するために、部屋内に第１の基準マイクロフォンを配置すること（１１２）を任意で含み、開口部を通って部屋内に入る音を整合するために、１組のスピーカーに対して１つ又は複数の出力信号を決定すること（１０６）は、第１の基準信号に基づいてよい。
【０１０１】
また、以下の項目のいずれかによる方法及び／又はサウンドシステムも開示される。
【０１０２】
（項目１）
部屋内における雑音消去のための方法であって、
第１のマイクロフォン入力信号を含む、１つ又は複数のマイクロフォン入力信号を提供するために、前記部屋の壁面の開口部から離れた位置に１組のマイクロフォンを配置することと、
前記開口部の近傍に１組のスピーカーを配置することと、
少なくとも前記第１のマイクロフォン入力信号に基づいて、前記開口部を通って前記部屋に入る音を整合するために、前記１組のスピーカーに対して１つ又は複数の出力信号を決定することと、
前記１つ又は複数の出力信号を生成することと、
前記１組のスピーカーを用いて、前記１つ又は複数の出力信号に基づくサウンド信号を出力することと、
を含む方法。
【０１０３】
（項目２）
前記１組のスピーカーに対して１つ又は複数の出力信号を決定することは、前記１組のスピーカーの各々のスピーカーに対して駆動信号を決定することを含む、項目１に記載の方法。
【０１０４】
（項目３）
前記出力信号を生成することは、前記駆動信号を生成することと、前記駆動信号を増幅することとを含む、項目２に記載の方法。
【０１０５】
（項目４）
前記１組のマイクロフォンは、少なくとも１０個のマイクロフォンを含む、項目１から項目３のいずれか一項目に記載の方法。
【０１０６】
（項目５）
前記１組のスピーカーは、少なくとも１０個のスピーカーを含む、項目１から項目４のいずれか一項目に記載の方法。
【０１０７】
（項目６）
前記１組のマイクロフォンは、前記開口部から０．５ｍよりも大きい距離に配置された第１の組のマイクロフォンを含む、項目１から項目５のいずれか一項目に記載の方法。
【０１０８】
（項目７）
前記１組のマイクロフォンは、前記開口部の縁部に配置された第２の組のマイクロフォンを含む、項目１から項目６のいずれか一項目に記載の方法。
【０１０９】
（項目８）
前記開口部の近傍に１組のスピーカーを前記配置することは、前記開口部を跨いで第１の組のスピーカーを分配することを含む、項目１から項目７のいずれか一項目に記載の方法。
【０１１０】
（項目９）
前記開口部の近傍に１組のスピーカーを前記配置することは、前記開口部の周囲に沿って第２の組のスピーカーを配置することを含む、項目１から項目８のいずれか一項目に記載の方法。
【０１１１】
（項目１０）
前記開口部の近傍に１組のスピーカーを前記配置することは、前記開口部を跨いで疎アレイで、１組のスピーカーを配置することを含む、項目１から項目９のいずれか一項目に記載の方法。
【０１１２】
（項目１１）
第１の基準信号を提供するために、第１の基準マイクロフォンを前記部屋内に配置することを含み、前記開口部を通って前記部屋内に入る音を整合するために、前記１組のスピーカーに対して１つ又は複数の出力信号を前記決定することは、前記第１の基準信号に基づいている、項目１から項目１０のいずれか一項目に記載の方法。
【０１１３】
（項目１２）
部屋内における雑音消去のためのサウンドシステムであって、
第１のマイクロフォン入力信号を含む、１つ又は複数のマイクロフォン入力信号を提供するための１組のマイクロフォンと、
出力信号に基づいてサウンド信号を出力するための１組のスピーカーと、
前記１組のマイクロフォン及び前記１組のスピーカーに接続された処理デバイスであって、信号プロセッサを備える前記処理デバイスと、
を備え、
前記信号プロセッサは、
前記部屋の壁面の開口部を通って前記部屋に入る音を整合するために、前記１組のスピーカーに対して出力信号を決定し、前記出力信号は、少なくとも前記第１のマイクロフォン入力信号に基づいており、
前記出力信号を生成し、
前記１組のスピーカーに前記出力信号を出力する、
ように構成されている、サウンドシステム。
【０１１４】
（項目１３）
前記１組のスピーカーは、スピーカーの疎アレイを含み、
スピーカーの前記疎アレイは、Ｎ個の行及びＭ個の列を含み、
前記疎アレイにおける行の数Ｎは、少なくとも３であり、前記疎アレイにおける列の数Ｍは、少なくとも３である、項目１２に記載のサウンドシステム。
【０１１５】
（項目１４）
スピーカーの前記疎アレイは、前記開口部に配置されるスピーカーの第１の中央列を少なくとも含み、前記第１の中央列におけるスピーカーの数は、少なくとも５である、項目１３に記載のサウンドシステム。
【０１１６】
（項目１５）
スピーカーの前記疎アレイは、前記開口部に配置されるスピーカーの第１の中央行を少なくとも含み、前記第１の中央行におけるスピーカーの数は、少なくとも５である、項目１３から項目１４のいずれか一項目に記載のサウンドシステム。
【０１１７】
（項目１６）
スピーカーの疎前記アレイは、少なくとも３つのセルを形成する、項目１３から項目１５のいずれか一項目に記載のサウンドシステム。
【符号の説明】
【０１１８】
１：サウンドシステム
２：部屋
４：１組のマイクロフォン
４Ａ：マイクロフォンアレイ
６：１組のマイクロフォン入力信号
６Ａ：第１のマイクロフォン入力信号
８：開口部
１０：壁面
１２：１組のスピーカー
１４：出力信号
１５：処理デバイス
１６：信号プロセッサ
１８：ハウジング
２０：スピーカーの疎アレイ
２２：スピーカーの第１のエッジ行
２２Ａ：スピーカー
２４：スピーカーの第２のエッジ行
２４Ａ：スピーカー
２６：スピーカーの第１の中央行
２６Ａ：スピーカー
２８：スピーカーの第１のエッジ列
２８Ａ：スピーカー
３０：スピーカーの第２のエッジ列
３０Ａ：スピーカー
３２：スピーカーの第１の中央列
３２Ａ：スピーカー
３４：第１のセル
３６：第２のセル
３８：第３のセル
４０：第４のセル
５０：信号プロセッサ
５２：インターフェース
５４：メモリ
１００：部屋内における雑音消去のための方法
１０２：部屋の壁面の開口部から離れた位置に１組のマイクロフォンを配置すること
１０４：開口部の近傍に１組のスピーカーを配置すること
１０４Ａ：開口部に亘って及び／又はその周りに疎アレイで、１組のスピーカーを配置すること
１０６：１組のスピーカーに対して１つ又は複数の出力信号を決定すること
１０６Ａ：１組のスピーカーの各々のスピーカーに対して駆動信号を決定すること
１０８：１つ又は複数の出力信号を生成すること
１０８Ａ：駆動信号を生成すること及び駆動信号を増幅すること
１１０：１つ又は複数の出力信号に基づくサウンド信号を出力すること
１１２：部屋内に第１の基準マイクロフォンを配置すること
Ｈ：疎アレイの高さ
Ｍ：疎アレイの列数
Ｎ：疎アレイの行数
Ｗ：疎アレイの幅
【図１】
2022500692.tif 000003
【図２】
2022500692.tif 000004
【図３】
2022500692.tif 000005
【図４】
2022500692.tif 000006
【国際調査報告】
2022500692.tif 000007
2022500692.tif 000008
2022500692.tif 000009